(57)【要約】  本開示の実施形態は、無線通信システムにおけるアップリンク・データ送信に関する。本開示の実施形態では、無線通信システムにおけるアップリンク・データ送信のための方法が提供されている。方法は、新型の参照信号の指示をユーザ機器に送信することを含み、新型の参照信号は、周波数領域では、参照信号の密度が減っており、新型の参照信号のシンボルにおける、参照信号に使用されないリソース要素は、有効範囲向上に使用され、新型の参照信号を受信することと、新型の参照信号に基づいたチャネル評価を実行することと、を含む。本開示の実施形態では、周波数領域の参照信号の密度を減らすことで、実質的にはオーバーヘッドを増やさず、また、節約したリソース要素は有効範囲向上を実行するのに使用可能である。よって、低いＳＮＲのＭＴＣ  ＵＥの再送回数を更に減らすことができ、ひいてはシステム・スループットの改善につながる。それゆえ、低いＳＮＲのＵＥをＬＴＥネットワークで使用することが可能である。【選択図】図２
2016536928.tif 000002
【特許請求の範囲】
【請求項１】
新型の参照信号の指示を基地局から受信するように構成された指示受信ユニットを含み、
前記新型の参照信号は、周波数領域では、参照信号の密度が減っており、前記新型の参照信号のシンボルにおける、参照信号に使用されないリソース要素は、有効範囲向上に使用され、
チャネル評価に使用するために、前記基地局に、前記新型の参照信号を送信するように構成された信号送信ユニットを含む
無線通信システムにおけるアップリンク・データ送信のための装置。
【請求項２】
前記新型の参照信号は、前記周波数領域で、１以上のサブキャリア分空けて配された参照信号を含む請求項１に記載の装置。
【請求項３】
前記新型の参照信号は、時間領域では、参照信号の密度が増えている請求項１または２に記載の装置。
【請求項４】
前記新型の参照信号は、参照信号の従来のシンボルにおける参照信号と、時間領域で、前記従来のシンボルから２つのシンボル分空けられたシンボルにおける追加の参照信号とを含む請求項３に記載の装置。
【請求項５】
オリジナルのベース信号シーケンスをサンプリングすることによって、前記新型の参照信号の信号シーケンスを生成するように構成されたシーケンス生成ユニットを更に含む請求項１乃至４のいずれか１項に記載の装置。
【請求項６】
前記新型の参照信号の前記シンボルにおける、参照信号に使用されない前記リソース要素で、データを送信するように構成されたデータ送信ユニットを更に含む請求項１乃至５のいずれか１項に記載の装置。
【請求項７】
前記新型の参照信号の前記シンボルにおける、参照信号に使用されない前記リソース要素は、空のリソース要素として、使用されないままにされ、
前記信号送信ユニットは、更に、前記新型の参照信号を、前記空のリソース要素から借りて増した電力で送信するように構成されている、
請求項１乃至５のいずれか１項に記載の装置。
【請求項８】
新型の参照信号の指示をユーザ機器に送信するように構成された指示送信ユニットを含み、
前記新型の参照信号は、周波数領域では、参照信号の密度が減っており、前記新型の参照信号のシンボルにおける、参照信号に使用されないリソース要素は、有効範囲向上に使用され、
前記新型の参照信号を受信するように構成された信号受信ユニットと、
前記新型の参照信号に基づいたチャネル評価を実行するように構成された評価実行ユニットと、
を含む無線通信システムにおけるアップリンク・データ送信のための装置。
【請求項９】
新型の参照信号の指示を基地局から受信することを含み、
前記新型の参照信号は、周波数領域では、参照信号の密度が減っており、前記新型の参照信号のシンボルにおける、参照信号に使用されないリソース要素は、有効範囲向上に使用され、
チャネル評価に使用するために、前記基地局に、前記新型の参照信号を送信することを含む
無線通信システムにおけるアップリンク・データ送信のための方法。
【請求項１０】
新型の参照信号の指示をユーザ機器に送信することを含み、
前記新型の参照信号は、周波数領域では、参照信号の密度が減っており、前記新型の参照信号のシンボルにおける、参照信号に使用されないリソース要素は、有効範囲向上に使用され、
前記新型の参照信号を受信することと、
前記新型の参照信号に基づいたチャネル評価を実行することと、
を含む無線通信システムにおけるアップリンク・データ送信のための方法。
【発明の詳細な説明】
【技術分野】
【０００１】
本開示の実施形態は、概して無線通信技術に関し、とりわけ無線通信システムにおけるアップリンク・データ送信のための方法及び装置に関する。
【背景技術】
【０００２】
モバイル・データ・サービスの安定した増加に伴い、第３世代パートナーシップ・プロジェクト（ｔｈｅ  ３ｒｄ  Ｇｅｎｅｒａｔｉｏｎ  Ｐａｒｔｎｅｒｓｈｉｐ  Ｐｒｏｊｅｃｔ（３ＧＰＰ））組織は、ロングターム・エボリューション（ｌｏｎｇ−ｔｅｒｍ  ｅｖｏｌｕｔｉｏｎ（ＬＴＥ））の仕様と、ＬＴＥ−Ａｄｖａｎｃｅｄ（ＬＴＥ−Ａ）の仕様を開発した。次世代セルラ通信規格として、ＬＴＥ又はＬＴＥ−Ａシステムは、周波数分割複信（Ｆｒｅｑｕｅｎｃｙ  Ｄｉｖｉｓｉｏｎ  Ｄｕｐｌｅｘ（ＦＤＤ））モードと時分割複信（Ｔｉｍｅ  Ｄｉｖｉｓｉｏｎ  Ｄｕｐｌｅｘ（ＴＤＤ））モードの両方で作動できる。
【０００３】
機械対機械（Ｍａｃｈｉｎｅ−ｔｏ―Ｍａｃｈｉｎｅ（Ｍ２Ｍ））通信とも呼ばれる機械型通信（Ｍａｃｈｉｎｅ−Ｔｙｐｅ  Ｃｏｍｍｕｎｉｃａｔｉｏｎｓ（ＭＴＣ））は、新興の通信パターンである。それは、人間の介在なしの、又は限定的な人間の介在のみの、コンピュータ、及び埋込み型プロセッサ、及び高性能センサ、及びアクチュエータ、及びモバイル・デバイスの間の通信をさす。そして、それは、極めて厳しい又は危険な環境での計測のような多くのアプリリケーションにおいて、かなり有利である。通常、ＭＴＣ  ＵＥｓの多くは、ＧＳＭ（登録商標）／ＧＰＲＳによって十分に取り扱われることができるローエンドのアプリケーション（ユーザにつき平均的収益が低い、及びデータレートが低い）の対象にされ、よって、それらは低コストで実行されうる。
【０００４】
ＬＴＥの配備が進展しているので、無線アクセス技術（Ｒａｄｉｏ  Ａｃｃｅｓｓ  Ｔｅｃｈｎｏｌｏｇｉｅｓ（ＲＡＴｓ））の数を減らすことによってネットワーク全体の維持コストを下げることが望ましい。しかし、フィールドに、より多くのＭＴＣ  ＵＥｓが配備されると、ＧＳＭ（登録商標）／ＧＰＲＳネットワークに対する依存が増し、よって、これらのネットワークの運用コストは増加する。それゆえに、ローエンドのＭＴＣ  ＵＥｓがＧＳＭ（登録商標）／ＧＰＲＳからＬＴＥネットワークに移行すると非常に有益である。
【０００５】
ＬＴＥリリース８〜１１においては、データ送信は、中ぐらい又は高いＳＮＲ（ＳＮＲ＞−５ｄＢ）に対し設計されている。しかし、ＭＴＣ  ＵＥのＳＮＲは、−２５．３ｄＢぐらいに低い可能性がある。よって、現在利用可能なＬＴＥリリースでＭＴＣ  ＵＥｓをサポートすることは、とても挑戦的である。
【０００６】
ＭＴＣ  ＵＥの移行に関して、ＳＮＲが低い範囲でＭＴＣ  ＵＥをサポートする可能性を研究するために、３ＧＰＰは研究項目を開始させた。図１は、３ＧＰＰ  ＴＳ  ３６．２１１で提案された、アップリンク復調用参照信号（ｄｅｍｏｄｕｌａｔｉｏｎ  ｒｅｆｅｒｅｎｃｅ  ｓｉｇｎａｌｓ（ＤＭＲＳ））のマッピングを示す。この図では、各ブロックはリソース要素（ｒｅｓｏｕｒｃｅ  ｅｌｅｍｅｎｔ（ＲＥ））を示し、２つのシンボルのＲＥｓは、アップリンクＤＭＲＳの送信に使用され、それ以外のＲＥｓはデータを送信するのに使用される。しかし、ＤＭＲＳ構成は、中ぐらい又は高いＳＮＲに対して設計されている。ところが、ＭＴＣは通常、低いＳＮＲで作動するので、ＤＭＲＳパターンはＭＴＣに全く適していない。
【０００７】
３ＧＰＰのテクニカル・ドキュメントＴＲ３６．８８８には、ＬＴＥに基づいて低コストＭＴＣ  ＵＥｓをサポートするために提案された手引きがある。ここでは、参照信号の密度を増加させる可能性が論じられている。ＭＴＣ  ＵＥに対する再送信／繰り返しの回数は、大部分はチャネル評価の正確さに依存する。時間領域での参照信号の密度を増加させることで、低いＳＮＲでのチャネル評価の正確さが改善されうる。しかし、参照信号の密度を増加させると、オーバーヘッドが確実に増加する。そして今度はコーディング・レートが増加する。このことは、通常、アップリンクＤＭＲＳの密度を増しても、期待したパフォーマンス・ゲインを得られないということを意味する。
【０００８】
それゆえ、ＭＴＣのような低いＳＮＲでの通信におけるチャネル評価の正確さを改善するための、無線通信システムにおけるアップリンク・データ送信の新しい解決手段が必要である。
【発明の概要】
【課題を解決するための手段】
【０００９】
上記を鑑みて、先行技術の課題の少なくとも一部を解決するか、又は少なくとも部分的に軽減させるために、本開示は、無線通信システムにおけるアップリンク・データ送信のための新しい解決方法を提供する。
【００１０】
本開示の第１の観点によれば、無線通信システムにおけるダウンリンク・データ送信のための方法が提供される。前記方法は、新型の参照信号の指示をユーザ機器に送信することを含み、前記新型の参照信号は、周波数領域では、参照信号の密度が減っており、前記新型の参照信号のシンボルにおける、参照信号に使用されないリソース要素は、有効範囲向上に使用され、前記新型の参照信号を受信することと、前記新型の参照信号に基づいたチャネル評価を実行することと、を含むものとしても良い。
【００１１】
本開示の実施形態では、前記新型の参照信号は、前記周波数領域で、１以上のサブキャリア分空けて配された参照信号を含むものとしても良い。
【００１２】
本開示の他の実施形態では、前記新型の参照信号は、時間領域では、参照信号の密度が増えているものとしても良い。
【００１３】
本開示の更なる実施形態では、前記新型の参照信号は、参照信号の従来のシンボルにおける参照信号と、時間領域で、前記従来のシンボルから２つのシンボル分空けられたシンボルにおける追加の参照信号とを含むものとしても良い。
【００１４】
本開示の更なる実施形態では、前記方法は、前記新型の参照信号のシンボルにおける、参照信号に使用されない前記リソース要素で、データを受信することを更に含むものとしても良い。
【００１５】
本開示の更なる実施形態では、前記新型の参照信号のシンボルにおける、参照信号に使用されないリソース要素は、空のリソース要素として、使用されないままにされる。
【００１６】
本開示のなお更なる実施形態では、前記新型の参照信号は、前記空のリソース要素から借りて増した電力で送信されるものとしても良い。
【００１７】
本開示のなお更なる実施形態では、前記方法は、前記新型の参照信号のマッピングに基づいて、データ検出を実行することを更に含むものとしても良い。
【００１８】
本開示のなお更なる実施形態では、前記方法は、前記ユーザ機器の有効範囲向上の決定に応じて実行されるものとしても良い。
【００１９】
本開示の他の実施形態では、前記方法は、信号対雑音比に基づいて、前記ユーザ機器の送信繰り返し回数を見積もることと、前記ユーザ機器に、前記送信繰り返し回数を送信することと、を更に含むものとしても良い。
【００２０】
本開示の更なる実施形態では、前記新型の参照信号は、復調用参照信号（ｄｅｍｏｄｕｌａｔｉｏｎ  ｒｅｆｅｒｅｎｃｅ  ｓｉｇｎａｌｓ（ＤＭＲＳ））を含む。
【００２１】
本開示の第２の観点によれば、無線通信システムにおけるアップリンク・データ送信のための方法が提供される。前記方法は、新型の参照信号の指示を基地局から受信することを含み、前記新型の参照信号は、周波数領域では、参照信号の密度が減っており、前記新型の参照信号のシンボルにおける、参照信号に使用されないリソース要素は、有効範囲向上に使用され、チャネル評価に使用するために、前記基地局に、前記新型の参照信号を送信することを含むものとしても良い。
【００２２】
本開示の第３の観点によれば、無線通信システムにおけるアップリンク・データ送信のための装置が更に提供される。前記装置は、新型の参照信号の指示をユーザ機器に送信するように構成された指示送信ユニットを含み、前記新型の参照信号は、周波数領域では、参照信号の密度が減っており、前記新型の参照信号のシンボルにおける、参照信号に使用されないリソース要素は、有効範囲向上に使用され、前記新型の参照信号を受信するように構成された信号受信ユニットと、前記新型の参照信号に基づいたチャネル評価を実行するように構成された評価実行ユニットと、を含むものとしても良い。
【００２３】
本開示の第４の観点によれば、無線通信システムにおけるアップリンク・データ送信のための装置が更に提供される。前記装置は、新型の参照信号の指示を基地局から受信するように構成された指示受信ユニットを含み、前記新型の参照信号は、周波数領域では、参照信号の密度が減っており、前記新型の参照信号のシンボルにおける、参照信号に使用されないリソース要素は、有効範囲向上に使用され、チャネル評価に使用するために、前記基地局に、前記新型の参照信号を送信するように構成された信号送信ユニットを含むものとしても良い。
【００２４】
本開示の第５の観点によれば、コンピュータ・プログラム・コードを格納したコンピュータ読み取り可能な記憶媒体も提供され、前記コンピュータ・プログラム・コードは、実行された場合、前記第１の観点の実施形態のいずれかによる前記方法の動作を装置に実行させるように構成されている。
【００２５】
本開示の第６の観点によれば、コンピュータ・プログラム・コードを格納したコンピュータ読み取り可能な記憶媒体が更に提供され、前記コンピュータ・プログラム・コードは、実行された場合、前記第２の観点の実施形態のいずれかによる前記方法の動作を装置に実行させるように構成されている。
【００２６】
本開示の第７の観点によれば、前記第５の観点によるコンピュータ読み取り可能な記憶媒体を含むコンピュータ・プログラム製品が提供される。
【００２７】
本開示の第８の観点によれば、前記第６の観点によるコンピュータ読み取り可能な記憶媒体を含むコンピュータ・プログラム製品が更に提供される。
【００２８】
本開示の実施形態では、無線通信システムにおけるアップリンク・データ送信の解決手段が提供される。本開示の実施形態では、周波数領域で参照信号の密度を減らし、そのことはオーバーヘッドを実質的に増やさないことを意味し、節約したリソース要素は、有効範囲向上を実行するのに使用されうる。よって、低いＳＮＲのＭＴＣ  ＵＥの再送回数が更に減らされ、ひいては、システム・スループットを改良する結果になる。したがって、ＬＴＥネットワークで、低いＳＮＲのＵＥをサポート可能であり、ＧＳＭ（登録商標）／ＧＰＲＳネットワークのような従前のコミュニケーション・ネットワークに対する依存を減らす。
【００２９】
本開示の上記及び他の特徴は、添付図面に関する実施形態で示された、実施形態の詳細な説明を通して、より明らかになるだろう。添付図面を通して、同様の参照番号は、同じ又は同様の構成要素を示す。
【図面の簡単な説明】
【００３０】
【図１】模式的に示された、３ＧＰＰ  ＴＳ  ３６．２１１で明示されたアップリンク復調用参照信号（ｄｅｍｏｄｕｌａｔｉｏｎ  ｒｅｆｅｒｅｎｃｅ  ｓｉｇｎａｌｓ（ＤＭＲＳ））のマッピングである。
【図２】模式的に示された、本開示の実施形態による、無線通信システムにおけるｅＮＢでのアップリンク・データ送信方法のフローチャートである。
【図３Ａ】模式的に示された、本開示の実施形態によるＭＴＣの代表的なアップリンクＭＴＣＲＳパターンである。
【図３Ｂ】模式的に示された、本開示の他の実施形態によるＭＴＣの代表的なアップリンクＭＴＣＲＳパターンである。
【図３Ｃ】模式的に示された、本開示の更なる実施形態によるＭＴＣの代表的なアップリンクＭＴＣＲＳパターンである。
【図４】模式的に示された、本開示の実施形態によるアップリンク物理チャネル処理の図である。
【図５】模式的に示された、本開示の実施形態による、無線通信システムにおけるＵＥのアップリンク・データ送信方法のフローチャートである。
【図６】模式的に示された、３ＧＰＰ  ＴＳ  ３６．２１で明示されたＭＲＳＳＣ＝ＮＲＢＳＣの場合のφ（ｎ）の定義の表である。
【図７】模式的に示された、本開示の実施形態による、ＤＭＲＳシーケンスの相互相関のＣＤＦである。
【図８】模式的に示された、本開示の他の実施形態による、ＤＭＲＳシーケンスの立方体測定基準（ｃｕｂｅ  ｍｅｔｒｉｃｓ（ＣＭ））のＣＤＦである。
【図９Ａ】模式的に示された、本開示の実施形態による、ｅＮＢでのアップリンク・データ送信の具体的な実施例である。
【図９Ｂ】模式的に示された、本開示の他の実施形態による、ＵＥでのアップリンク・データ送信の具体的な実施例である。
【図９Ｃ】模式的に示された、本開示の更なる実施形態による、ｅＮＢでのアップリンク・データ送信の具体的な実施例である。
【図１０】模式的に示された、本開示の実施形態による、無線通信システムにおけるｅＮＢでのアップリンク・データ送信のための装置のブロック図である。
【図１１】模式的に示された、本開示の実施形態による、無線通信システムにおけるＵＥでのアップリンク・データ送信のための装置のブロック図である。
【図１２Ａ】模式的に示された、７つの種々のスキームのパフォーマンスのシミュレーション結果である。
【図１２Ｂ】模式的に示された、７つの種々のスキームのパフォーマンスのシミュレーション結果である。
【発明を実施するための形態】
【００３１】
以下、無線通信システムにおけるアップリンク・データ送信のための方法及び装置が、添付図面に関する実施形態を通して詳細に記述される。これらの実施形態は、当業者がより理解し、本開示を実施可能なように提示されただけであって、どの方法でも本開示の範囲を限定することを意図してはいないと理解されるべきである。
【００３２】
添付図面では、本開示の様々な実施形態が、ブロック図及びフローチャート及び他の図で示されている。フローチャート又はブロック図の各ブロックは、モジュール、又はプログラム、又は特定の論理機能を実行する１以上の実行可能な命令を含むコードの一部を示すとしても良く、必須のブロックは点線で図示されている。また、これらのブロックは、方法のステップを実行するため、特定の順序で示されているが、実は、それらは必ずしも厳密に図示された順序によって実行されなくとも良い。例えば、それらは逆順で、又は同時に実行されても良く、各動作の性質次第である。ブロック図及び／又はフローチャートの各ブロック及びそれらの組み合わせは、特定の機能／動作を実行するために、専用のハードウェア・ベースのシステムにより、又は専用のハードウェアとコンピュータ命令の組み合わせにより実現されても良い、という点にも留意すべきである。
【００３３】
概して、ここではっきり異なって定義されない限り、請求項で使用された全ての用語は、技術分野での通常の意味によって解釈されるべきである。「１つの（ａ／ａｎ）、前記（ｔｈｅ／ｓａｉｄ）［要素、デバイス、構成要素、手段、ステップ等］」という全ての言及は、はっきり異なるよう述べられていない限り、複数のデバイス、構成要素、手段、ユニット、ステップ等を除くものではなく、前記要素、デバイス、構成要素、手段、ユニット、ステップ等の少なくとも１つの例に言及していると広く解釈されるべきである。また、ここで使用される不定冠詞「ａ／ａｎ」は、複数のステップ、及びユニット、及びモジュール、及びデバイス、及びオブジェクト等を除くものではない。
【００３４】
更に、本開示の文脈では、ユーザ機器（ｕｓｅｒ  ｅｑｕｉｐｍｅｎｔ（ＵＥ））は、端末又は移動体端末（Ｍｏｂｉｌｅ  Ｔｅｒｍｉｎａｌ（ＭＴ））又は加入者設備（Ｓｕｂｓｃｒｉｂｅｒ  Ｓｔａｔｉｏｎ（ＳＳ））又は携帯加入者設備（Ｐｏｒｔａｂｌｅ  Ｓｕｂｓｃｒｉｂｅｒ  Ｓｔａｔｉｏｎ（ＰＳＳ））又は移動局（Ｍｏｂｉｌｅ  Ｓｔａｔｉｏｎ（ＭＳ））又はアクセス端末（Ａｃｃｅｓｓ  Ｔｅｒｍｉｎａｌ（ＡＴ））のことを述べているとしても良く、ＵＥ又は端末又はＭＴ又はＳＳ又はＰＳＳ又はＭＳ又はＡＴのいくつか又は全ての機能が含まれているものとしても良い。更に、本開示の文脈では、ＢＳという用語は、例えばノードＢ（ｎｏｄｅ  Ｂ（ＮｏｄｅＢ又はＮＢ））又は進化型ＮｏｄｅＢ（ｅｖｏｌｖｅｄ  ＮｏｄｅＢ（ｅＮｏｄｅＢ又はｅＮＢ）又はラジオ・ヘッダ（ｒａｄｉｏ  ｈｅａｄｅｒ（ＲＨ））又はリモート・ラジオ・ヘッド（ｒｅｍｏｔｅ  ｒａｄｉｏ  ｈｅａｄ（ＲＲＨ））又はリレー又はフェムト、ピコ等の低電力ノードを示すものとしても良い。
【００３５】
本開示を、より良く理解するために、以下では、例としてＭＴＣをとりあげて、本開示の実施形態が説明される。しかし、当業者に理解されうるように、本発明は、低いＳＮＲの他の適切な通信環境にも適用できる。
【００３６】
まず、本開示の実施形態による、無線通信システムにおけるｅＮＢでのアップリンク・データ送信方法を説明するために、図２を参照する。
【００３７】
図示されたように、まずステップＳ２０１では、ｅＮＢは、新型の参照信号の指示をユーザ機器に送信するものとしても良い。
【００３８】
背景技術で述べたように、Ｒｅｌ．８のＤＭＲＳパターンは、中ぐらい又は高いＳＮＲに対して設計されており、ＭＴＣのような低いＳＮＲでの通信には不適当である。しかるに、参照信号の強さを増すと、高いオーバーヘッドを引き起こす。この観点から、本開示では、新型の参照信号を提案する。新型の参照信号はＭＴＣＲＳと呼んでも良い。主な思想は、周波数領域では参照信号の密度を減らすことであり、新型の参照信号のシンボルにおける、参照信号に使用されないリソース要素は、有効範囲向上に使用されうる。言い換えれば、周波数領域では、リソース要素の一部のみが参照信号に使用され、他の部分は、とっておかれ、有効範囲向上に使用されうる。同時に、時間領域では参照信号の密度を増やすという解決方法と組み合わせても良い。すなわち、周波数領域で参照信号の密度を減らすと同時に、時間領域で参照信号の密度を増やすものとしても良い。そのような方法では、参照信号は、より多くのシンボルで、だが、より少ないサブキャリアで送信されうる。
【００３９】
図３Ａは、本開示の実施形態によるＭＴＣの代表的なアップリンクＭＴＣＲＳパターンを示す。図３に示されるように、ＭＴＣＲＳパターンでは、３ＧＰＰ  ＴＳ  ３６．２１１で明示されているＤＭＲＳのオリジナル・シンボルでのＲＥｓが、ＭＴＣＲＳでも予定されている。すなわち、新型の参照信号は、参照信号の従来のシンボルにおける参照信号も含む。これらのＲＥｓの他に、追加の３列のシンボルが、参照信号に新しく追加されている。すなわち、トータルで５列のシンボルが参照信号に予定されている。そのうえ、参照信号のこれらのシンボルは、時間領域で分散され、望ましくは、均一に分散される。図示されたＭＴＣＲＳパターンでは、追加の３つのシンボルの参照信号は各々、時間領域で、従来のシンボルから、２つのシンボル分空けられている。
【００４０】
しかし、従来のＤＭＲＳと比較して、本開示で提供される新型の参照信号は、周波数領域で参照信号の密度が減らされている。例えば、新型の参照信号は、周波数領域で、１以上のサブキャリア分空けて配された参照信号を含む。言い換えれば、従来のＤＭＲＳパターンと違い、参照信号は周波数領域で連続ではない。図３Ａで示されたように、新型の参照信号は、周波数領域で、１つのサブキャリア分空けて配されている。このような方法では、参照信号のリソース要素は、時間領域と周波数領域の両方で分散されている。オーバーヘッド（すなわちＭＴＣＲＳに対するＲＥｓの数）は実質的に増加しない。周波数で節約したＲＥｓは、有効範囲向上に使用されても良い。
【００４１】
ｅＮＢは、例えば無線リソース制御（Ｒａｄｉｏ  Ｒｅｓｏｕｒｃｅ  Ｃｏｎｔｒｏｌ（ＲＲＣ））シグナリング、又は物理層シグナリングのような他の適切なシグナリングで、新型の参照信号の指示を送信しても良い。
【００４２】
また、ｅＮＢは、ステップＳ２０２で、信号対雑音比に基づいて、ＵＥへの送信の繰り返し回数を見積もる又は決定するものとしても良い。具体的には、ｅＮＢは、まずＵＥのＳＮＲを見積もり、それから、繰り返し回数とＳＮＲとの間の予め定義された関係曲線を探索することで、見積もったＳＮＲに対応する繰り返し回数Ｎを取得しても良い。この取得した繰り返し回数を、ＵＥに対する繰り返し回数と見積もっても良い。その後、ＵＥが送信の繰り返し回数を知り、送信の繰り返し回数に基づき信号を送信することができるように、ｅＮＢはＵＥに送信の繰り返し回数Ｎを送信しても良い。すなわち、送信の繰り返し回数Ｎから、ＵＥは、送信回数が、指示された送信の繰り返し回数Ｎに達するまで、信号を再送しても良い。
【００４３】
次に、ステップＳ２０３で、ｅＮＢはＵＥから新型の参照信号ＭＴＣＲＳを受信する。このような方法では、ＵＥは、ステップＳ２０５でチャネル評価を実行するのに新型の参照信号ＭＴＣＲＳを使用しても良い。
【００４４】
更に、当該方法は、ＵＥが有効範囲向上を必要とする場合のみ実行されても良い。したがって、本発明の実施形態では、当該方法は、ユーザ機器の有効範囲を向上するという決定に応じて実行される。ＵＥが有効範囲向上を必要としない場合は、当該方法は実行されなくとも良い。
【００４５】
また、参照信号のシンボルでは、参照信号に使用されないリソース要素は、有効範囲向上に使用されても良い。本開示の実施形態では、参照信号に使用されないリソース要素は、データ送信に使用される。言い換えれば、参照信号に使用されないこれらのリソース要素は、ＰＵＳＣＨデータによって再利用されるか多重化されても良い。このような方法では、符号化レートが減少し、繰り返し回数の減少を促進する。このように、ステップＳ２０４では、ｅＮＢは、参照信号で使用されない、参照信号のシンボルのサブキャリアでデータを受信しても良い。
【００４６】
本開示の他の実施形態では、参照信号に使用されないリソース要素は、パワー・ブースティングに使用されても良い。図３Ｂは、本開示の実施形態による他のＭＴＣの代表的なアップリンクＭＴＣＲＳパターンを模式的に示す。図示されたように、ＭＴＣＲＳパターンは、図３Ａで図示されたものと実質的に同じであるが、参照信号のシンボルの点で異なっており、参照信号に使用されないそれらのリソース要素は、空のリソース要素として使用されないままである。この場合では、これらの空のリソース要素の送信電力は、参照信号が増加した電力で送信されるように、参照信号に使用されても良い。すなわち、参照信号でパワー・ブースティングが実行されるように、これらの空のリソース要素の送信電力を参照信号に貸しても良い。
【００４７】
更に、図３Ｃも、本開示の更なる実施形態によるＭＴＣの代表的なアップリンクＭＴＣＲＳパターンを示す。ＭＴＣＲＳパターンは、図３Ｂで図示されたものと同じであるが、参照信号のリソース要素は、周波数領域で、１つのサブキャリア分のみではなく２つのサブキャリア分空けて配されている。図３Ｂで示されたＭＴＣＲＳパターンを用いると、約３ｄＢのパワー・ブースティングを達成しうる一方、図３Ｃで示されたＭＴＣＲＳパターンでは、約４．７ｄＢのパワー・ブースティングを達成しうる。これは、空のＲＥｓが増えたことで、より多くの電力をパワー・ブースティングに使用できることによる。
【００４８】
戻って図２を参照する。ステップＳ２０６では、ｅＮＢは、ＵＥから送信された信号からデータを取得できるように、新型の参照信号のマッピングに基づいて、データ検出を実行しても良い。
【００４９】
更に、本発明で提案されたＭＴＣＲＳパターンでは、アップリンク物理チャネル処理が、従来技術のそれと異なる。次に、本開示の実施形態によるアップリンク物理チャネル処理を説明するために図４を参照する。図４では、主な違いは、黒の太線のブロックで示されている。
【００５０】
図示されたように、ＵＥでは、変換プレコーダーは、シリアルからパラレルへのコンバータに代えられる。そして、本開示で提案されたＭＴＣＲＳパターンに従った新しいＵＬ  ＤＭＲＳを提供する責任がある、新しいＵＬ  ＤＭＲＳモジュールが新しく追加されている。スクランブリング・モジュールと、変調マッパーにより、スクランブルされてマップされた後、データ信号は、シリアルからパラレルへのコンバータ又はＤＦＴモジュールにより変換されて、新しいＵＬ  ＤＭＲＳは、変換されたデータ信号の上に重ねられる。それから、合成された信号は、リソース要素マッパーによって、周波数領域のリソースにマップされ、次に、送信のためのＳＣＸ−ＦＤＭＡを生成する。このような変更を通して、アップリンク物理チャネル処理を、本開示で提案されたＭＴＣＲＳパターンに適応させる。
【００５１】
次に、ＵＥの対応する手順を、図６に関して詳細に記述する。図６は、本開示の実施形態による、無線通信システムにおけるＵＥのアップリンク・データ送信方法を模式的に示す。
【００５２】
図示されたように、ステップＳ５０１では、ＵＥは、基地局から新型の参照信号の指示を受信する。本開示の実施形態では、新型の参照信号が、ＵＥ特有の方法で送信されても良い。すなわち、ＰＵＳＣＨがユーザ機器にスケジュールされた場合のみ、新型の参照信号が送信されても良い。したがって、新型の参照信号に関して個々にＵＥを構成することができる。指示は、新型の参照信号が使用されることをＵＥに知らせるのに使用されても良い。これは、ＵＥが新型の参照信号ＭＴＣＲＳを基地局に送信することが要求されていることを、意味する。
【００５３】
また、ステップＳ５０２では、ＵＥは、更にｅＮＢから送信繰り返し回数を受信しても良い。このようにして、ＵＥは、信号を何度再送すべきか知っても良い。この方法では、ＵＥは、送信繰り返し回数に基づいて、信号を送信しても良い。例えば、ｅＮＢによって示された送信繰り返し回数を、実際の送信繰り返し回数が超えない限り、ＵＥは信号の再送を実行する。
【００５４】
それから、ステップＳ５０３で、ＵＥは新型の参照信号の信号シーケンスを生成しても良い。前述したように、新型の参照信号は従来の参照信号と異なる参照信号であり、新型の参照信号は、周波数領域で参照信号の密度が減るように、設計されても良い。そして、新型の参照信号のシンボルにおける、参照信号に使用されないリソース要素は、有効範囲向上に使用される。具体的には、新型の参照信号は、周波数領域で、１以上のサブキャリア分空けて配された参照信号を含む。一方、時間領域では、新型の参照信号は、時間領域で参照信号の密度を増しても良い。例えば、新型の参照信号は、参照信号の従来のシンボルにおける参照信号と、時間領域で、従来のシンボルから２つのシンボル分空けられたシンボルにおける追加の参照信号とを含む。
【００５５】
参照信号シーケンスを、以下のように生成しても良い。オリジナルの参照信号シーケンスと同じで、ＤＭＲＳの参照信号シーケンスｒ（α）ｕ，ｖ（ｎ）は、以下のように、ベース・シーケンスｒ−ｕ，ｖ（ｎ）のサイクリック・シフトαによって定義されても良い。
【数１】
2016536928.tif 000003
ここで、
【数２】
2016536928.tif 000004
であり、これは参照信号シーケンスの長さであり、
【数３】
2016536928.tif 000005
である。複数の参照信号シーケンスは、種々の値αを通じ、１つのベース・シーケンスから定義される。
【００５６】
各グループが、各長さＭＲＳＳＣ＝ｍＮＲＢＳＣ，１≦ｍ≦５の１つのベース・シーケンス（ν＝０）と、各長さＭＲＳＳＣ＝ｍＮＲＢＳＣ，６≦ｍ≦Ｎｍａｘ，ＵＬＲＢの２つのベース・シーケンス（ν＝０，１）とを含むように、ベース・シーケンスｒ−ｕ，ｖ（ｎ）はグループに分割されても良く、ここで、ｕ∈｛０，１，・・・，２９｝はグループ番号であり、νは、グループ内のベース・シーケンス番号である。ＭＴＣでは、各グループが１つのベース・シーケンス、すなわちν＝０を含むことが適切である。シーケンス・グループ番号ｕは、各々追々変わっても良い。
【００５７】
ＭＴＣＲＳでは、ベース・シーケンスｒ−ｕ，ｖ（ｎ）は
【数４】
2016536928.tif 000006
で与えられても良い。ここで、ｎは奇数である（図３Ａ、３Ｂで示されたＭＴＣＲＳパターンでは）。
【００５８】
【数５】
2016536928.tif 000007
に関しては、これを生成するためのアプローチが様々に存在する。例として、図６の表に示されているオリジナルのベース・シーケンスφ（ｎ）をサンプリングすることによって生成しても良い。すなわち、参照信号シーケンスの生成は、従来のアプローチと同じとなりうる。しかし、周波数領域で参照信号のサブキャリアを減らしたことにより、参照信号シーケンスは、オリジナルのベース・シーケンスからサンプリングすることによって取得されても良い。言い換えれば、オリジナルのベース・シーケンスの一部のみが、新しい参照信号シーケンスを形成するのに使用される。例えば、それは、相互相関に基づいて、サンプリングされ又は選択されても良い。サンプリングによって得られた例
【数６】
2016536928.tif 000008
は以下の通りであっても良い。
【数７】
2016536928.tif 000009
【００５９】
また、シーケンスがより良い相互相関を有するように、コンピュータでの生成アプローチにより
【数８】
2016536928.tif 000010
を生成することも実現可能である。コンピュータでの生成により得られた例
【数９】
2016536928.tif 000011
は以下で与えられても良い。
【数１０】
2016536928.tif 000012
【００６０】
図７は、本開示の実施形態による、ＤＭＲＳシーケンスの相互相関のＣＤＦを示す。この図から、支配的な要素が、低いＳＮＲ  ＭＴＣ  ＵＥの雑音であることを考えれば、新しいＭＴＣＲＳパターンの相互相関のパフォーマンスが許容可能であることは、明白である。
【００６１】
また、図３Ｂ、３Ｃで示されたＭＴＣＲＳパターンでは、パワー・ブースティングをサポートしうる。この場合、ピーク対平均電力比（Ｐｅａｋ  ｔｏ  Ａｖｅｒａｇｅ  Ｐｏｗｅｒ  Ｒａｔｉｏ（ＰＡＰＲ））が高くなり、ひいては低い電力効率又は重大なパフォーマンス低下で、パワーアンプを移す原因になる。ＰＡＰＲ問題を軽減するために、立方体測定基準（ｃｕｂｉｃ  ｍｅｔｒｉｃ（ＣＭ））に基づいて、すなわち、ＣＭが最小化されるように、参照信号シーケンスを生成しても良い。以下に、ＣＭに基づいて生成したＵＬ参照信号シーケンスの例が、説明の目的で提供されている。
サンプリング：
シーケンス＿０＝｛１，−３，−３，−１，３，１｝，ＣＭ＝０．７１７
コンピュータ生成：
シーケンス＿１＝｛−３，−１，１，−３，１，１｝，ＣＭ＝０．２７０８
シーケンス＿２＝｛１，−１，−３，−３，−３，１｝，ＣＭ＝０．２７０８
【００６２】
シーケンス生成に異なる基準が使用されたので、生成されたシーケンスは、相互相関に基づいて生成されたものと異なる。図８は、本開示の実施形態による、ＭＴＣＲＳパターンのＣＭのＣＤＦを示す。パワー・ブースティングを使う場合に、新しいＤＭＲＳのＣＭが小さいことが見受けられる。そして、このようにして、ＰＡＰＲ問題に対処しうる。
【００６３】
参照信号シーケンスが生成された後、ＵＥは、ステップＳ５０４で受信した指示に従い、基地局ｅＮＢに新型の参照信号を送信しても良い。
【００６４】
更に、上述したように、参照信号のシンボルのすべてのＲＥｓが参照信号に使用されるというわけではなく、参照信号に用いられない、それらのサブキャリアは、ＰＵＳＣＨデータを送信するのに使用されても良い。したがって、ステップＳ５０５で、ＵＥは、参照信号で使用されないＲＥｓでデータを更に送信しても良い。
【００６５】
あるいは、参照信号に使用されない、参照信号のシンボルのＲＥｓは、空のリソース要素として、使用されないままにしても良い。この場合には、チャネル評価精度を改善するためにパワー・ブースティングが行われるように、空のリソース要素から借りて増した電力で、参照信号を送信しても良い。
【００６６】
また、図９Ａ、９Ｂ、９Ｃには、本開示の実施形態による、アップリンク・データ送信の具体的な実施例が更に示されている。
【００６７】
まず、本開示の実施形態による、ｅＮＢでのアップリンク・データ送信の具体的な実施例を示す図９Ａを参照する。図９Ａに示されるように、ステップＡ９０１では、ｅＮＢは、ＵＥの送信繰り返し回数を見積もっても良い。具体的には、ｅＮＢは、まずＵＥのＳＮＲを見積もり、それから、見積もったＳＮＲと、ＳＮＲと繰り返し回数との予め定義された関係曲線とに基づいて、繰り返し回数Ｎを決定しても良い。例えば、見積もったＳＮＲで、予め定義された関係曲線を探索することで、見積もったＳＮＲに対応する繰り返し回数Ｎを発見しても良い。この発見した繰り返し回数が、ＵＥの繰り返し回数と決定されても良い。
【００６８】
その後、ステップＡ９０２では、ＵＥが有効範囲向上を必要とするか否か決定しても良い。例えば、見積もったＳＮＲが所定の閾値より小さい場合、又はＵＥが、低いＳＮＲを有する種類のＵＥに属する場合に、ＵＥが有効範囲向上を必要とすると決定しても良い。もし、ＵＥが有効範囲向上を必要とするならば、手順はステップＡ９０３に進む。ステップＡ９０３では、従来のＤＭＲＳ信号の代わりにＭＴＣＲＳを使用すべきであると示すために、ｅＮＢはＵＥに、許可＿ＭＴＣＲＳ指示を送信する。更に、ＵＥが信号送信の繰り返し回数を知ることができるように、ｅＮＢはＵＥに見積もった繰り返し回数Ｎを送信しても良い。一方、ＵＥが有効範囲向上を必要としない場合は、手順は終了する。ＵＥからＭＴＣＲＳを受信した後、ｅＮＢは、ステップＡ９０５で、新しいアップリンクＤＭＲＳに基づいて、チャネル評価を実行しても良い。それから、ステップＡ９０６で、ＵＥから送信された信号に含まれるデータを取得するために、新しいアップリンクＤＭＲＳのマッピングに基づいて、検出を更に実行しても良い。
【００６９】
図９Ｂは、本開示の実施形態による、ＵＥでのアップリンク・データ送信の具体的な実施例を模式的に示す。図示されたように、ステップＢ９０１では、ＵＥは、まず、ＵＥが有効範囲向上を必要とするか否かを、例えば、有効範囲向上指示を受信したか否かに基づいて決定しても良い。ＵＥが有効範囲向上を必要としない場合は、手順はステップＢ９０２に進む。ステップＢ９０２では、ＵＥは通常のＤＭＲＳをｅＮＢに送信する。
【００７０】
一方、ＵＥが有効範囲向上を必要とする場合は、方法はステップＢ９０３に進む。ステップＢ９０３では、現在のシンボルが新しいＤＭＲＳを含むか否かを更に決定する。シンボルが新しいＤＭＲＳを含まない場合は、ＵＥはステップＢ９０４でｅＮＢに通常のＰＵＳＣＨデータを送信しても良い。シンボルが新しいＤＭＲＳを含む場合は、ＵＥはステップＢ９０５でｅＮＢに、ＰＵＳＣＨデータで多重化された新しいＤＭＲＳを送信しても良い。
【００７１】
図９Ｂでは、参照信号のシンボルにおける、参照信号に使用されないサブキャリアがアップリンク・データを送信するのに使用される実施例が示されている一方、図９Ｃは、参照信号に使用されない、これらのサブキャリアが、空の参照信号として使用されないままである他の実施例を示す。図９Ｃでは、ステップＣ９０１からＣ９０４まではステップＢ９０１からステップＢ９０４までと同じなので、ここでは詳述しない。しかし、ステップＣ９０５では、ＵＥは、これらの空のリソース要素から借りた電力により、パワー・ブースティングを実行する。言い換えれば、ＵＥは、空のＲＥｓの電力をＤＭＲＳ  ＲＥｓに割り当てる。ＭＴＣは低いＳＮＲなので、１つの変調モード、すなわちＱＰＳＫのみ使用できる。よって、この場合では、ＤＭＲＳとＰＵＳＣＨのパワー・オフセットは、復調に必要とされない。したがって、パワー・オフセットは、ｅＮＢへの信号に必要とされない。
【００７２】
更に、本開示では、無線通信システムにおけるアップリンク・データ送信のための装置も提供される。次に、本開示で提供される装置を説明するために、図１０から図１１までを参照する。
【００７３】
図１０は、本開示の実施形態による、無線通信システムにおけるｅＮＢでのアップリンク・データ送信のための装置１０００を模式的に示す。図１０に示されたように、装置１０００は、指示送信ユニット１０１０と、参照信号受信ユニット１０２０と、チャネル評価ユニット１０３０とを含んでも良い。指示送信ユニット１０１０は、新型の参照信号の指示を、ユーザ機器に送信するように構成されていても良い。参照信号受信ユニット１０２０は、新型の参照信号を受信するように構成されていても良い。チャネル評価ユニット１０３０は、新型の参照信号に基づいてチャネル評価を実行するように構成されていても良い。
【００７４】
本開示の実施形態では、新型の参照信号は、周波数領域で参照信号の密度が減っており、新型の参照信号のシンボルにおける、参照信号に使用されないリソース要素は、有効範囲向上に使用される。例えば、新型の参照信号は、周波数領域で、１以上のサブキャリア分空けて配された参照信号を含む。一方、新型の参照信号は、時間領域で、参照信号の密度が増していても良い。例として、新型の参照信号は、参照信号の従来のシンボルにおける参照信号と、時間領域で、従来のシンボルから２つのシンボル分空けられたシンボルにおける追加の参照信号とを含んでも良い。
【００７５】
また、装置は、更に、データ受信ユニット１０４０を含んでも良い。データ受信ユニット１０４０は、新型の参照信号のシンボルにおける、参照信号に使用されないリソース要素で、データを受信するように構成されていても良い。あるいは、新型の参照信号のシンボルにおける、参照信号に使用されないリソース要素は、空のリソース要素として、使用されないままにしても良い。この場合には、空のリソース要素から借りて増した電力で、新型の参照信号を送信する。
【００７６】
装置１０００は、更に、新型の参照信号のマッピングに基づいてデータ検出を実行するように構成されたデータ検出ユニット１０５０を含んでも良い。装置１０００は、繰り返し回数決定ユニット１０６０と、繰り返し回数送信ユニット１０７０も含んでも良い。繰り返し回数決定ユニット１０６０は、信号対雑音比に基づいて、ユーザ機器の送信繰り返し回数を見積もるように構成されていても良く、繰り返し回数送信ユニット１０７０は、ユーザ機器に、送信繰り返し回数を送信するように構成されていても良い。
【００７７】
本開示の実施形態では、装置を、ユーザ機器の有効範囲向上の決定に応じて動作させても良い。更に、本開示の実施形態では、新型の参照信号は、復調参照信号（ｄｅｍｏｄｕｌａｔｉｏｎ  ｒｅｆｅｒｅｎｃｅ  ｓｉｇｎａｌｓ（ＤＭＲＳ））を含んでも良い。
【００７８】
また、図１１は、本開示の実施形態による、無線通信システムにおけるＵＥでのアップリンク・データ送信のための装置１１００を模式的に示す。図示されたように、装置１１００は、指示受信ユニット１１１０と、参照信号送信ユニット１１２０とを含んでも良い。指示受信ユニットは、基地局から、新型の参照信号の指示を受信するように構成されていても良い。ここで、新型の参照信号は、周波数領域では参照信号の密度が減少しており、新型の参照信号のシンボルにおける、参照信号に使用されないリソース要素は、有効範囲向上に使用される。参照信号送信ユニット１１２０は、チャネル評価に使用するために、基地局に、新型の参照信号を送信するように構成されていても良い。新型の参照信号は、周波数領域で、参照信号の密度が減っており、新型の参照信号のシンボルにおける、参照信号に使用されないリソース要素は、有効範囲向上に使用される。例えば、新型の参照信号は、周波数領域で、１以上のサブキャリア分空けて配された参照信号を含む。一方、新型の参照信号は、時間領域で、密度が増していても良い。例として、新型の参照信号は、参照信号の従来のシンボルにおける参照信号と、時間領域で、従来のシンボルから２つのシンボル分空けられたシンボルにおける追加の参照信号とを含んでも良い。
【００７９】
装置１１００は、シーケンス生成ユニット１１３０を更に含んでも良い。シーケンス生成ユニット１１３０は、オリジナルのベース信号シーケンスをサンプリングすることによって、新型の参照信号の信号シーケンスを生成するように構成されていても良い。装置１１００は、新型の参照信号のシンボルにおける、参照信号に使用されないリソース要素で、データを送信するように構成された、データ送信ユニット１１４０も含んでも良い。
【００８０】
本開示の実施形態では、新型の参照信号のシンボルにおける、参照信号に使用されないリソース要素は、空のリソース要素として、使用されないままにされる。この場合、信号送信ユニット１１２０は、更に、空のリソース要素から借りて増した電力で、新型の参照信号を送信するように構成されていても良い。
【００８１】
更に、信号繰り返し回数を、それらに基づき信号を送信するために基地局から受信するように構成された、繰り返し回数受信ユニット１１５０を、装置は更に含んでも良い。
【００８２】
本開示の実施形態では、ユーザ機器の有効範囲向上の決定に応じて、方法は実行されるものとしても良い。更に、新型の参照信号は、復調用参照信号（ｄｅｍｏｄｕｌａｔｉｏｎ  ｒｅｆｅｒｅｎｃｅ  ｓｉｇｎａｌｓ（ＤＭＲＳ））を含む。
【００８３】
装置１０００及び装置１１００とは、図２から図９に関して述べられた機能を実行するように構成されていても良い。したがって、これらの装置のモジュールの動作についての詳細は、図２から図９に関する方法の各ステップに関してなされた、それらの説明を参照すればよい。
【００８４】
装置１０００及び装置１１００の構成要素は、ハードウェア、及び／又はソフトウェア、及び／又はファームウェア、及び／又はそれらの組み合わせで具現化されても良いという点に更に留意する。例えば、装置１０００及び装置１１００の構成要素は、各々、回路、又はプロセッサ、又は他の適切な選択装置により実現されても良い。当業者は、上記例は単に説明のためであって、限定ではないと理解するだろう。
【００８５】
本開示のいくつかの実施形態では、装置１０００及び装置１１００の各々は、少なくとも１つのプロセッサを含む。本開示の実施形態での使用に適した当該少なくとも１つのプロセッサは、例として、既知の又は将来開発される、一般的な及び特殊な目的のプロセッサを共に含むものとしても良い。装置１０００及び装置１１００の各々は、更に、少なくとも１つのメモリを含む。当該少なくとも１つのメモリは、例えば、ＲＡＭ、ＲＯＭ、ＥＰＲＯＭ、ＥＥＰＲＯＭ、フラッシュメモリデバイス等の半導体メモリデバイスを含むものとしても良い。当該少なくとも１つのメモリは、コンピュータ実行可能な命令のプログラムを格納するのに使用されても良い。当該プログラムは、高水準及び／又は低水準のコンパイル可能又は解釈可能なプログラミング言語で記述されうる。実施形態に沿って、当該コンピュータ実行可能な命令は、少なくとも１つのプロセッサで、装置１０００及び装置１１００が少なくとも図２から図９の各々に関して述べられた方法に応じた動作を少なくとも実行するように、構成されても良い。
【００８６】
更に、図１２Ａと図１２Ｂは、本発明の実施形態と従来技術の既存の解決方法とでなされたシミュレーション結果を示す。シミュレーションで使用されたパラメータは、表１に列挙されている。
【００８７】
【表１】
2016536928.tif 000013
【００８８】
図１２Ａと図１２Ｂは、７つの種々のスキームのパフォーマンスのシミュレーション結果を示す。これらのスキームでは、スキーム１「Ｒｅｌ．８  ＤＭＲＳ」は、Ｒｅｌ．８で指定されたＤＭＲＳパターンを使用したスキームを示す。スキーム２「５列  ＤＭＲＳ」は、５列の参照信号のシンボルのＭＴＣＲＳパターンを使用したスキームを示す。スキーム３「５列  ＤＭＲＳ＋データ多重化」は、データ多重化を用いた、図３Ａで示されたＭＴＣＲＳパターンを使用したスキームを示す。スキーム４「５列  ＤＭＲＳ＋３ｄＢパワー・ブースティング」は、図３Ｂで示されたＭＴＣＲＳパターンを使用したスキームを示す。スキーム５「５列  ＤＭＲＳ＋４．７ｄＢパワー・ブースティング」は、図３Ｃで示されたＭＴＣＲＳパターンを使用したスキームを示す。スキーム６「２列  ＤＭＲＳ＋データ多重化」は、参照信号の密度のみが、周波数領域で半分に減らされたＭＴＣＲＳパターンと、データ多重化が組み合わされたスキームを示す。スキーム７「２列  ＤＭＲＳ＋３ｄＢパワー・ブースティング」は、参照信号の密度のみが、周波数領域で半分に減らされたＭＴＣＲＳパターンと、パワー・ブースティングが組み合わされたスキームを示す。
【００８９】
パワー・ブースティング又はデータ多重化を伴うＭＴＣＲＳは、時間領域で参照信号の密度が増えていなくても、繰り返し回数を減らせ、システム・スループットを改善できることが明白である。したがって、本開示の実施形態では、周波数領域で参照信号の密度を減らしても良く、そのことが、オーバーヘッドを実質的には増やさず、また、節約したリソース要素は有効範囲向上を実行するのに使用されても良いということを意味する。よって、低いＳＮＲのＭＴＣ  ＵＥの再送回数を、更に減らすことができ、ひいては、システム・スループットの改善につながる。それゆえに、低いＳＮＲを有するＵＥを、ＬＴＥネットワークで使用することが可能である。
【００９０】
ここで与えられたＭＴＣＲＳパターンとマッピングとは、単に説明目的のためであり、他の多くの代わりとなるパターンが、本開示の範囲と意図を逸脱することなく使用されうるということを当業者は理解するだろう。
【００９１】
更に、本開示の実施形態は、ＭＴＣに関して述べられているが、本発明はそれに限定されず、本発明は、ＬＴＥシステムにおける低いＳＮＲの通信で使用されうる、ということも理解されるだろう。
【００９２】
更に、上記説明に基づき、当業者は、本開示が装置又は方法又はコンピュータ・プログラム製品で具現化されても良いと理解するだろう。一般に、種々の代表的な実施形態は、ハードウェア又は特殊な目的の回路、又はソフトウェア、又はロジック、又はそれらの組み合わせで実現されても良い。例えば、いくつかの点は、ハードウェアで実現されても良く、その一方で、他の点は、コントローラ又はマイクロプロセッサ又は他のコンピュータデバイスにより実行されうるファームウェア又はソフトウェアで実現されても良い。しかし、本開示はそれらに限定されない。本開示の代表的な実施形態の種々の点は、ブロック図又はフローチャート又は他の視覚表現を使用することで図示され記述されているが、ここで述べられた、これらのブロック又は装置又はシステム又は技術又は方法は、限定的ではない例として、ハードウェア、又はソフトウェア、又はファームウェア、又は特殊な目的の回路又はロジック、又は一般的な目的のハードウェア又はコントローラ又は他のコンピュータデバイス、又はそれらの組み合わせで実現されても良いということは十分理解される。
【００９３】
添付図面で示された種々のブロックは、方法のステップとして、及び／又はコンピュータプログラム・コードの動作結果の処理として、及び／又は関連の機能を実行するように構成された複数の連結されたロジック回路要素として、みなされても良い。少なくとも、本開示の代表的な実施形態のいくつかの点は、集積回路チップ及びモジュールのような種々の構成要素で実行されても良く、本開示の代表的な実施形態は、本開示の代表的な実施形態に沿って動作するように構成可能な集積回路又はＦＰＧＡ又はＡＳＩＣとして具現化される装置で実現されるものとしても良い。
【００９４】
この明細書は、多くの具体的な実施例の詳細を含むが、これらは、いかなる開示の範囲の又は請求の範囲の限定として解釈されるべきではなく、むしろ特定の開示の特定の実施形態に特有の特徴の記述として解釈されるべきである。この明細書の別々の実施形態の文脈で記述された、ある特徴は、１つの実施形態内で組み合わせて実施されうる。逆に、１つの実施形態の文脈で記述された種々の特徴も、複数の実施形態で別々に、又は適切な部分的組み合わせで、実施されうる。更に、特徴は、ある組み合わせで作用するように上述されており、初めにそのように権利請求されてさえいるけれども、権利請求された組み合わせのうちの１以上の特徴が、いくつかの場合には、組み合わせから削除されうるし、権利請求された組み合わせは、部分的組み合わせ又は部分的組み合わせのバリエーションに導かれても良い。
【００９５】
同様に、動作は図面中に特定の順序で表されているが、望ましい結果を達成するためには、そのような動作が示された特定の順序又は連続した順序で実行されること、又は図示された動作全てが実行されることが必要だと理解されるべきではない。特定の状況では、マルチタスキングと並列処理が有利である可能性がある。更に、上述の実施形態の種々のシステム構成要素の分け方は、全ての実施形態においてそのような分け方が必要であると理解されるべきではない。そして、記述されたプログラム構成要素とシステムは、通常、１つのソフトウェア製品にまとめて統合されうるか、又は複数のソフトウェア製品にパッケージされうるということが理解されるべきである。
【００９６】
本開示の前述の代表的な実施形態への種々の修正、翻案は、添付図面と共に読まれた場合の前述の説明に照らすと、関連技術の当業者に明白になる可能性がある。あらゆる全ての修正は、なお本開示の非限定的で代表的な実施形態の範囲内になる。更にまた、前述の説明と関連図面に示された教えの恩恵を受ける、本開示のこれら実施形態の関連技術の当業者に、ここで述べられた本開示の他の実施形態が思い浮かぶだろう。
【００９７】
それゆえ、本開示の実施形態は、開示された特定の実施形態に限定されるべきではなく、修正と他の実施形態が、添付の請求の範囲内に含まれることが意図されている、と理解されるべきである。ここでは特定の用語が使用されているが、それらは一般的で記述的な意味のみで使用され、限定目的で使用されていない。
【００９８】
（付記１）
新型の参照信号の指示をユーザ機器に送信することを含み、
前記新型の参照信号は、周波数領域では、参照信号の密度が減っており、前記新型の参照信号のシンボルにおける、参照信号に使用されないリソース要素は、有効範囲向上に使用され、
前記新型の参照信号を受信することと、
前記新型の参照信号に基づいたチャネル評価を実行することと、
を含む無線通信システムにおけるアップリンク・データ送信のための方法。
【００９９】
（付記２）
前記新型の参照信号は、前記周波数領域で、１以上のサブキャリア分空けて配された参照信号を含む付記１に記載の方法。
【０１００】
（付記３）
前記新型の参照信号は、時間領域では、参照信号の密度が増えている付記１または２に記載の方法。
【０１０１】
（付記４）
前記新型の参照信号は、参照信号の従来のシンボルにおける参照信号と、時間領域で、前記従来のシンボルから２つのシンボル分空けられたシンボルにおける追加の参照信号とを含む付記３に記載の方法。
【０１０２】
（付記５）
前記新型の参照信号の前記シンボルにおける、参照信号に使用されない前記リソース要素で、データを受信することを更に含む付記１乃至４のいずれかに記載の方法。
【０１０３】
（付記６）
前記新型の参照信号の前記シンボルにおける、参照信号に使用されない前記リソース要素は、空のリソース要素として、使用されないままにされる付記１乃至４のいずれかに記載の方法。
【０１０４】
（付記７）
前記新型の参照信号は、前記空のリソース要素から借りて増した電力で送信される付記６に記載の方法。
【０１０５】
（付記８）
前記新型の参照信号のマッピングに基づいて、データ検出を実行することを更に含む付記１乃至７のいずれかに記載の方法。
【０１０６】
（付記９）
前記方法は、前記ユーザ機器の有効範囲向上の決定に応じて実行される付記１乃至８のいずれかに記載の方法。
【０１０７】
（付記１０）
信号対雑音比に基づいて、前記ユーザ機器の送信繰り返し回数を見積もることと、
前記ユーザ機器に、前記送信繰り返し回数を送信することと、
を更に含む付記１乃至９のいずれかに記載の方法。
【０１０８】
（付記１１）
前記新型の参照信号は、復調用参照信号（ｄｅｍｏｄｕｌａｔｉｏｎ  ｒｅｆｅｒｅｎｃｅ  ｓｉｇｎａｌｓ（ＤＭＲＳ））を含む付記１乃至１０のいずれかに記載の方法。
【０１０９】
（付記１２）
新型の参照信号の指示を基地局から受信することを含み、
前記新型の参照信号は、周波数領域では、参照信号の密度が減っており、前記新型の参照信号のシンボルにおける、参照信号に使用されないリソース要素は、有効範囲向上に使用され、
チャネル評価に使用するために、前記基地局に、前記新型の参照信号を送信することを含む
無線通信システムにおけるアップリンク・データ送信のための方法。
【０１１０】
（付記１３）
前記新型の参照信号は、前記周波数領域で、１以上のサブキャリア分空けて配された参照信号を含む付記１２に記載の方法。
【０１１１】
（付記１４）
前記新型の参照信号は、時間領域では、参照信号の密度が増えている付記１２または１３に記載の方法。
【０１１２】
（付記１５）
前記新型の参照信号は、参照信号の従来のシンボルにおける参照信号と、時間領域で、前記従来のシンボルから２つのシンボル分空けられたシンボルにおける追加の参照信号とを含む付記１４に記載の方法。
【０１１３】
（付記１６）
オリジナルのベース信号シーケンスをサンプリングすることによって、前記新型の参照信号の信号シーケンスを生成することを更に含む付記１２乃至１５のいずれかに記載の方法。
【０１１４】
（付記１７）
前記新型の参照信号の前記シンボルにおける、参照信号に使用されない前記リソース要素で、データを送信することを更に含む付記１２乃至１６のいずれかに記載の方法。
【０１１５】
（付記１８）
前記新型の参照信号の前記シンボルにおける、参照信号に使用されない前記リソース要素は、空のリソース要素として、使用されないままにされる付記１２乃至１６のいずれかに記載の方法。
【０１１６】
（付記１９）
前記新型の参照信号を、前記空のリソース要素から借りて増した電力で送信することを更に含む付記１８に記載の方法。
【０１１７】
（付記２０）
送信繰り返し回数に基づいて信号を送信するために、前記基地局から、前記送信繰り返し回数を受信することを更に含む付記１２乃至１９のいずれかに記載の方法。
【０１１８】
（付記２１）
前記方法は、ユーザ機器の有効範囲向上の指示に応じて実行される付記１２乃至２０のいずれかに記載の方法。
【０１１９】
（付記２２）
前記新型の参照信号は、復調用参照信号（ｄｅｍｏｄｕｌａｔｉｏｎ  ｒｅｆｅｒｅｎｃｅ  ｓｉｇｎａｌｓ（ＤＭＲＳ））を含む付記１２乃至２１のいずれかに記載の方法。
【０１２０】
（付記２３）
新型の参照信号の指示をユーザ機器に送信するように構成された指示送信ユニットを含み、
前記新型の参照信号は、周波数領域では、参照信号の密度が減っており、前記新型の参照信号のシンボルにおける、参照信号に使用されないリソース要素は、有効範囲向上に使用され、
前記新型の参照信号を受信するように構成された信号受信ユニットと、
前記新型の参照信号に基づいたチャネル評価を実行するように構成された評価実行ユニットと、
を含む無線通信システムにおけるアップリンク・データ送信のための装置。
【０１２１】
（付記２４）
前記新型の参照信号は、前記周波数領域で、１以上のサブキャリア分空けて配された参照信号を含む付記２３に記載の装置。
【０１２２】
（付記２５）
前記新型の参照信号は、時間領域では、参照信号の密度が増えている付記２３または２４に記載の装置。
【０１２３】
（付記２６）
前記新型の参照信号は、参照信号の従来のシンボルにおける参照信号と、時間領域で、前記従来のシンボルから２つのシンボル分空けられたシンボルにおける追加の参照信号とを含む付記２５に記載の装置。
【０１２４】
（付記２７）
前記新型の参照信号の前記シンボルにおける、参照信号に使用されない前記リソース要素で、データを受信するように構成されたデータ受信ユニットを更に含む付記２３乃至２６のいずれかに記載の装置。
【０１２５】
（付記２８）
前記新型の参照信号の前記シンボルにおける、参照信号に使用されない前記リソース要素は、空のリソース要素として、使用されないままにされ、
前記新型の参照信号は、前記空のリソース要素から借りて増した電力で送信される、
付記２３乃至２６のいずれかに記載の装置。
【０１２６】
（付記２９）
前記参照信号は、復調用参照信号（ｄｅｍｏｄｕｌａｔｉｏｎ  ｒｅｆｅｒｅｎｃｅ  ｓｉｇｎａｌｓ（ＤＭＲＳ））を含む付記２３乃至２８のいずれかに記載の装置。
【０１２７】
（付記３０）
新型の参照信号の指示を基地局から受信するように構成された指示受信ユニットを含み、
前記新型の参照信号は、周波数領域では、参照信号の密度が減っており、前記新型の参照信号のシンボルにおける、参照信号に使用されないリソース要素は、有効範囲向上に使用され、
チャネル評価に使用するために、前記基地局に、前記新型の参照信号を送信するように構成された信号送信ユニットを含む
無線通信システムにおけるアップリンク・データ送信のための装置。
【０１２８】
（付記３１）
前記新型の参照信号は、前記周波数領域で、１以上のサブキャリア分空けて配された参照信号を含む付記３０に記載の装置。
【０１２９】
（付記３２）
前記新型の参照信号は、時間領域では、参照信号の密度が増えている付記３０または３１に記載の装置。
【０１３０】
（付記３３）
前記新型の参照信号は、参照信号の従来のシンボルにおける参照信号と、時間領域で、前記従来のシンボルから２つのシンボル分空けられたシンボルにおける追加の参照信号とを含む付記３２に記載の装置。
【０１３１】
（付記３４）
オリジナルのベース信号シーケンスをサンプリングすることによって、前記新型の参照信号の信号シーケンスを生成するように構成されたシーケンス生成ユニットを更に含む付記３０乃至３３のいずれかに記載の装置。
【０１３２】
（付記３５）
前記新型の参照信号の前記シンボルにおける、参照信号に使用されない前記リソース要素で、データを送信するように構成されたデータ送信ユニットを更に含む付記３０乃至３４のいずれかに記載の装置。
【０１３３】
（付記３６）
前記新型の参照信号の前記シンボルにおける、参照信号に使用されない前記リソース要素は、空のリソース要素として、使用されないままにされ、
前記信号送信ユニットは、更に、前記新型の参照信号を、前記空のリソース要素から借りて増した電力で送信するように構成されている、
付記３０乃至３４のいずれかに記載の装置。
【０１３４】
（付記３７）
前記新型の参照信号は、復調用参照信号（ｄｅｍｏｄｕｌａｔｉｏｎ  ｒｅｆｅｒｅｎｃｅ  ｓｉｇｎａｌｓ（ＤＭＲＳ））を含む付記３０乃至３６のいずれかに記載の装置。
【図１】
2016536928.tif 000014
【図２】
2016536928.tif 000015
【図３Ａ】
2016536928.tif 000016
【図３Ｂ】
2016536928.tif 000017
【図３Ｃ】
2016536928.tif 000018
【図４】
2016536928.tif 000019
【図５】
2016536928.tif 000020
【図６】
2016536928.tif 000021
【図７】
2016536928.tif 000022
【図８】
2016536928.tif 000023
【図９Ａ】
2016536928.tif 000024
【図９Ｂ】
2016536928.tif 000025
【図９Ｃ】
2016536928.tif 000026
【図１０】
2016536928.tif 000027
【図１１】
2016536928.tif 000028
【図１２Ａ】
2016536928.tif 000029
【図１２Ｂ】
2016536928.tif 000030
【国際調査報告】
2016536928.tif 000031
2016536928.tif 000032